(57)【要約】【課題】繰り出し機構を有していない収納庫に搬送する紙幣を減らすことを目的とする。【解決手段】自動取引装置は、紙幣を収納する第１収納庫と、第１収納庫から搬送された紙幣の状態を鑑別する鑑別部と、繰り出し機構を有する第２収納庫と、紙幣の鑑別の結果が、紙幣が出金不可能な状態であり、かつ再利用可能な状態であることを示す場合、紙幣を第２収納庫に搬送させる搬送制御部とを備える。【選択図】図５
2020042510.tif 000002
【特許請求の範囲】
【請求項１】
紙幣を収納する第１収納庫と、
前記第１収納庫から搬送された紙幣の状態を鑑別する鑑別部と、
繰り出し機構を有する第２収納庫と、
前記紙幣の鑑別の結果が、前記紙幣が出金不可能な状態であり、かつ再利用可能な状態であることを示す場合、前記紙幣を前記第２収納庫に搬送させる搬送制御部と、
を備えることを特徴とする自動取引装置。
【請求項２】
前記搬送制御部は、前記鑑別の結果が前記紙幣の向きまたは配置が所定の条件を満たしておらず、かつ、前記紙幣に損傷がないことを示している場合、前記紙幣を前記第２収納庫に搬送させる
ことを特徴とする請求項１記載の自動取引装置。
【請求項３】
前記鑑別部は、前記第２収納庫から搬送された前記紙幣の状態を鑑別し、
前記搬送制御部は、前記第２収納庫から搬送された前記紙幣の鑑別の結果が、前記紙幣が出金可能な状態であることを示す場合、前記紙幣を前記第１収納庫に搬送させる
ことを特徴とする請求項１または請求項２に記載の自動取引装置。
【請求項４】
繰り出し機構を有していない第３収納庫を更に備え、
前記鑑別部は、前記第２収納庫から搬送された前記紙幣の状態を鑑別し、
前記搬送制御部は、前記第２収納庫から搬送された前記紙幣の鑑別の結果が、前記紙幣が出金不可能な状態であることを示す場合、前記紙幣を前記第３収納庫に搬送させる
ことを特徴とする請求項１または請求項２に記載の自動取引装置。
【請求項５】
紙幣を収納する第１収納庫から搬送された紙幣の状態を鑑別し、
前記紙幣の鑑別の結果が、前記紙幣が出金不可能な状態であり、かつ再利用可能な状態であることを示す場合、前記紙幣を、繰り出し機構を有する第２収納庫に搬送させる、
ことを特徴とする紙幣搬送方法。
【発明の詳細な説明】
【技術分野】
【０００１】
本発明は、現金の入出金を行う自動取引装置、および紙幣搬送方法に関する。
【背景技術】
【０００２】
金融取引を行う装置として、ＡＴＭ（Automatic Teller Machine）等の自動取引装置、銀行の窓口にて行う金融取引で使用される入出金機がある。ＡＴＭは、例えば、出金取引において、紙幣を収納する金種カセットから繰り出された紙幣が出金可能な状態かの鑑別を行う。出金可能であると判定された場合、紙幣は出金口から出金され、出金可能でないと判定された場合、紙幣は出金リジェクト庫に搬送される。
【０００３】
関連する技術として、入出金口に搬送した貨幣の枚数、およびリジェクトカートリッジに収納した貨幣の枚数を用いて、金種別カートリッジに収納している貨幣の収納枚数を金種別に管理する技術が提案されている（例えば、特許文献１を参照）。
【０００４】
入金と出金とでリサイクルする紙幣を金種ごとに収納する第１の紙幣カセットと、鑑別部によって金種が特定された紙幣で、且つリサイクルしない紙幣を収納する第２の紙幣カセットとを有する自動取引装置が提案されている（例えば、特許文献２を参照）。
【０００５】
また、関連する技術として、識別部により記番号が読み取られた紙幣と記番号が読み取られなかった紙幣とを別々の収納部に収納するよう搬送部を制御する技術が提案されている（例えば、特許文献３を参照）。
【先行技術文献】
【特許文献】
【０００６】
【特許文献１】特開２０１３−２５７８０２号公報
【特許文献２】特開２０１７−１５１９２８号公報
【特許文献３】特開２０１３−１６４８０２号公報
【発明の概要】
【発明が解決しようとする課題】
【０００７】
出金リジェクト庫は、自動で金種カセット等に紙幣を繰り出す機構を有していない収納庫である。よって、鑑別において出金不可と判定され出金リジェクト庫に搬送された紙幣は、オペレータにより取り出される。取り出した紙幣が使用可能であれば、オペレータが入金口にその紙幣をセットする。セットされた紙幣は、鑑別されて、再び金種カセットに戻る。
【０００８】
しかし、オペレータが直接紙幣を扱う場合、現金の紛失等の事故が発生する可能性があり、セキュリティ上の問題が発生する可能性もある。
【０００９】
１つの側面として、本発明は、繰り出し機構を有していない収納庫に搬送する紙幣を減らすことを目的とする。
【課題を解決するための手段】
【００１０】
１つの態様では、自動取引装置は、紙幣を収納する第１収納庫と、前記第１収納庫から搬送された紙幣の状態を鑑別する鑑別部と、繰り出し機構を有する第２収納庫と、前記紙幣の鑑別の結果が、前記紙幣が出金不可能な状態であり、かつ再利用可能な状態であることを示す場合、前記紙幣を前記第２収納庫に搬送させる搬送制御部とを含む。
【００１１】
別の態様では、紙幣搬送方法は、紙幣を収納する第１収納庫から搬送された紙幣の状態を鑑別し、前記紙幣の鑑別の結果が、前記紙幣が出金不可能な状態であり、かつ再利用可能な状態であることを示す場合、前記紙幣を、繰り出し機構を有する第２収納庫に搬送させる。
【発明の効果】
【００１２】
１つの側面によれば、繰り出し機構を有していない収納庫に搬送する紙幣を減らすことができる。
【図面の簡単な説明】
【００１３】
【図１】実施形態の自動取引装置の全体構成を示す図である。
【図２】制御部の機能構成の一例を示す図である。
【図３】鑑別部が鑑別する紙幣の状態の例を示す図である。
【図４】紙幣状態に基づく、出金可否および再利用可否の判定基準を示す図である。
【図５】金種カセットから繰り出された紙幣の搬送経路の例を示す図である。
【図６】プールカセットから繰り出された紙幣の搬送経路の例を示す図である。
【図７】表示部の画面遷移の例を示す図（その１）である。
【図８】表示部の画面遷移の例を示す図（その２）である。
【図９】実施形態の処理の一例を示すフローチャート（その１）である。
【図１０】実施形態の処理の一例を示すフローチャート（その２）である。
【図１１】実施形態の処理の一例を示すフローチャート（その３）である。
【図１２】紙幣繰り出しおよび鑑別処理の一例を示すフローチャートである。
【図１３】紙幣戻し処理の一例を示すフローチャートである。
【図１４】自動取引装置の制御部のハードウェア構成の一例を示す図である。
【発明を実施するための形態】
【００１４】
以下、図面を参照して、実施形態について説明する。図１は、実施形態の自動取引装置１の全体構成を示す図である。自動取引装置１は、金種カセット１１ａ〜１１ｃとプールカセット１２と混合カセット１３と鑑別部１４と搬送路１５と出金リジェクト庫１６と紙幣出金口１７と制御部１８と表示部１９を含む。
【００１５】
金種カセット１１ａ〜１１ｃは、紙幣を金種別に収納する。例えば、金種カセット１１ａが、一万円券を収納し、金種カセット１１ｂが、五千円券を収納し、金種カセット１１ｃが、千円券を収納する。以下の説明において、金種カセット１１ａ〜１１ｃを区別しない場合、金種カセット１１と称する。金種カセット１１は、第１収納庫の一例である。
【００１６】
プールカセット１２は、自動取引装置１に入金された紙幣を一時的に収納する。プールカセット１２は、繰り出し機構を有し、プールカセット１２に収納された紙幣は搬送路１５を介して金種カセット１１に搬送されるため、通常は空の状態である。プールカセット１２は、第２収納庫の一例である。
【００１７】
混合カセット１３は、金種カセット１１に収納できなかった紙幣、再利用に適さない損券（例えば、汚れ、破れ等がある）、旧券等を収納する。
【００１８】
鑑別部１４は、金種カセット１１またはプールカセット１２から搬送された紙幣の状態を鑑別し、鑑別結果を制御部１８に送る。また、鑑別部１４は、紙幣の種類の鑑別、真贋の鑑別等を行う。搬送路１５は、ローラー等を用いて紙幣を搬送する。
【００１９】
出金リジェクト庫１６は、金種カセット１１から搬送された紙幣の鑑別の結果が、紙幣が出金不可能な状態であり再利用不可能であることを示す場合、その紙幣を収納する。出金リジェクト庫１６は、繰り出し機構を有しておらず、出金リジェクト庫１６に収納された紙幣はオペレータにより取り出される。出金リジェクト庫１６は、第３収納庫の一例である。
【００２０】
紙幣出金口１７は、紙幣の鑑別の結果が、出金可能な状態であることを示す場合、その紙幣を出金する。出金した紙幣は、利用者（口座利用者）により取り出される。紙幣の入金が可能な自動取引装置１の場合、紙幣出金口１７は、紙幣の入金を受け付ける紙幣入金口を兼ねる。
【００２１】
制御部１８は、自動取引装置１の全体を制御し、例えば、搬送路１５の制御、表示部１９への表示制御等を行う。表示部１９は、制御部１８の制御に基づいて、利用者に対する各種メッセージ等を表示する。
【００２２】
図２は、制御部１８の機能構成の一例を示す図である。制御部１８は、搬送制御部２１と表示制御部２２と通信部２３と判定部２４と記憶部２５とを含む。
【００２３】
搬送制御部２１は、搬送路１５のローラー等を制御することにより紙幣の搬送制御を実行する。搬送制御部２１は、金種カセット１１から搬送された紙幣の鑑別の結果が、紙幣が出金不可能な状態であり、かつ再利用可能な状態であることを示す場合、その紙幣をプールカセット１２に搬送させる。搬送制御部２１は、例えば、金種カセット１１から搬送された紙幣の鑑別の結果が紙幣の向きまたは配置が所定の条件を満たしておらず、かつ紙幣に損傷がないことを示している場合、その紙幣をプールカセット１２に搬送させる。
【００２４】
搬送制御部２１は、プールカセット１２から搬送された紙幣の鑑別の結果が、紙幣が出金可能な状態を示す場合、その紙幣を金種カセット１１に搬送させる。また、搬送制御部２１は、プールカセット１２から搬送された紙幣の鑑別の結果が、紙幣が出金不可能な状態であることを示す場合、その紙幣を出金リジェクト庫１６に搬送させる。
【００２５】
表示制御部２２は、表示部１９に対する表示制御を行う。通信部２３は、ホストとの通信を実行し、各種情報の送受信を行う。
【００２６】
判定部２４は、自動取引装置１における各種判定処理を行う。記憶部２５は、鑑別結果が示す紙幣状態から出金可否および再利用可否を判定するための判定基準を含む、各種情報を記憶する。
【００２７】
なお、出金可能な状態とは、斜行、ニアフィード、ダブルフィード(２枚以上の重送)がなく、且つ、金種の鑑別ができ、真の紙幣であることが鑑別できた状態であるとする。また、出金不可能な状態、且つ再利用可能な状態は、斜行、ニアフィード、ダブルフィードを検出した場合であるとする。出金不可能な状態、且つ、再利用不可能な状態は、損券、又は金種の鑑別ができなかった場合、真の紙幣であると鑑別できなかった場合である。
【００２８】
図３は、鑑別部１４が鑑別する紙幣の状態の例を示す図である。図３（ａ）は、紙幣が正常に搬送されている状態を示す。図３（ｂ）は、搬送方向に対して紙幣が傾いている状態（斜行）を示す。例えば、紙幣の搬送方向と紙幣の短辺または長辺の方向とがなす角度が所定の角度以上である場合、鑑別部１４は、斜行と鑑別する。図３（ｃ）は、紙幣の間隔が所定距離より近い状態（ニアフィード）を示す。図３（ｄ）は、複数の紙幣が重なっている状態（ダブルフィード）を示す。図３（ｅ）は、紙幣に損傷（破れ、穴空き、汚れ等）がある状態（損券）を示す。
【００２９】
すなわち、紙幣が斜行、ニアフィード、またはダブルフィードである場合、紙幣の向きまたは配置が所定の基準を満たしていないことを意味する。鑑別部１４は、例えば、搬送路１５上に設置された複数のフォトセンサ（不図示）と厚みセンサ（不図示）の出力信号に基づいて、紙幣の状態が図３（ａ）〜（ｅ）のうちのどの状態に該当するかを鑑別する。
【００３０】
図４は、紙幣状態に基づく、出金可否および再利用可否の判定基準を示す図である。図４に示す情報は、制御部１８の記憶部２５に記憶される。図４に示すように、紙幣状態が「斜行」、「ニアフィード」または「ダブルフィード」である場合、現在行っている出金取引での出金は不可能であるが再利用は可能であると判定される。紙幣に損傷がなければ、再度搬送された場合に、正常な状態で搬送される可能性があるためである。
【００３１】
紙幣状態が「損券」である場合、出金は不可能であり再利用も不可能であると判定される。また、金種の鑑別ができなかった場合、または真の紙幣であると鑑別できなかった場合にも、出金は不可能であり再利用も不可能であると判定される。また、紙幣状態が「斜行」、「ニアフィード」、「ダブルフィード」または「損券」のいずれでもなく、且つ、金種の鑑別ができ、真の紙幣であることが鑑別できた場合、出金可能であると判定される。
【００３２】
図５は、金種カセット１１から繰り出された紙幣の搬送経路の例を示す図である。経路Ａ、Ｂ、Ｃ、Ｄは、搬送路１５上の紙幣搬送経路である。出金を行う場合、搬送制御部２１は、金種カセット１１内の紙幣を繰り出し、紙幣が経路Ａを通って鑑別部１４に到達するように搬送制御を行う。
【００３３】
そして、鑑別部１４による鑑別の結果が出金可能であることを示す場合、搬送制御部２１は、紙幣が経路Ｂを通って紙幣出金口１７に到達するように搬送制御を行う。鑑別部１４による鑑別の結果が出金不可であり、かつ再利用不可であることを示す場合、搬送制御部２１は、紙幣が経路Ｃを通って出金リジェクト庫１６に到達するように搬送制御を行う。
【００３４】
鑑別部１４による鑑別の結果が、出金不可であるが再利用可能であることを示す場合、搬送制御部２１は、紙幣が経路Ｄを通ってプールカセット１２に到達するように搬送制御を行う。
【００３５】
プールカセット１２は、自動取引装置１に入金された紙幣を一時的に収納するカセット（収納庫）であり、出金取引開始時には空の状態である。よって、自動取引装置１は、再利用可能である紙幣をプールカセット１２に収納することにより、新たな収納庫を追加しなくても、紙幣の再利用を行うことができる。
【００３６】
なお、プールカセット１２の代わりに、繰り出し機構を有する他の収納庫を用いてもよい。例えば、金種カセット１１のうち未使用の金種カセット１１が存在する場合、その金種カセット１１をプールカセット１２の代わりに用いてもよい。また、使用中の金種カセット１１であっても、再利用する紙幣と通常の紙幣（既に収納されている紙幣）とを分離可能であれば、プールカセット１２の代わりに用いてもよい。
【００３７】
図６は、プールカセット１２から繰り出された紙幣の搬送経路の例を示す図である。搬送制御部２１は、出金取引においてプールカセット１２に収納された紙幣を繰り出し、紙幣が経路Ｅを通って鑑別部１４に到達するように搬送制御を行う。鑑別部１４は、搬送された紙幣の状態を鑑別する。鑑別の結果が出金不可能であることを示す場合（斜行、ニアフィード、ダブルフィード、または損券に該当する場合、紙幣の種類が鑑別されない場合、真の紙幣と鑑別されない場合）、搬送制御部２１は、紙幣が経路Ｆを通って出金リジェクト庫１６に到達するように搬送制御を行う。
【００３８】
このように、出金取引においてプールカセット１２に収納された紙幣が再度鑑別された場合には、紙幣状態が斜行、ニアフィード、またはダブルフィードであっても、出金リジェクト庫１６に搬送し、再利用しないようにすることが好ましい。再度の鑑別において、斜行、ニアフィード、またはダブルフィードと鑑別された場合、紙幣に何らかの問題が生じている可能性があるためである。
【００３９】
また、出金取引においてプールカセット１２から搬送された紙幣の鑑別結果が出金可能であることを示す場合（斜行、ニアフィード、ダブルフィード、または損券のいずれにも該当せず、紙幣の種類が鑑別され、真の紙幣と鑑別された場合）、搬送制御部２１は、紙幣が経路Ｇを通って金種カセット１１に到達するように搬送制御を行う。
【００４０】
このように、自動取引装置１は、１回目の鑑別で出金不可能と鑑別されプールカセット１２に収納された紙幣が再度の鑑別において出金可能であると鑑別された場合、その紙幣を金種カセット１１に搬送する。これにより、自動取引装置１は、オペレータが操作しなくても再利用可能な紙幣を金種カセット１１に搬送し再利用することができる。よって、出金リジェクト庫１６内の紙幣を回収する際にオペレータが扱う紙幣の枚数を低減させることができ、例えば、紙幣の紛失等の事故を防げる。
【００４１】
図７、図８は、表示部１９の画面遷移の例を示す図である。図７に示すように、表示制御部２２は、初期画面として、表示部１９に取引種別選択画面を表示させる。取引種別選択画面の支払キーが押下された場合、表示制御部２２は、カード挿入依頼画面を表示部１９に表示させる。カード挿入口にカードが挿入され、カードが正当であると判定された場合、表示制御部２２は、暗証番号入力画面を表示部１９に表示させる。暗証番号が入力された場合、表示制御部２２は、表示部１９に出金金額入力画面を表示させる。
【００４２】
金額が入力され、確認キーが押下された場合、表示制御部２２は、図８に示すように、金額確認画面を表示部１９に表示させる。確認キーが押下された場合、表示制御部２２は、処理中画面を表示部１９に表示させると共に、支払い要求をホストに送信させる。ホストから支払い許可である応答を受信し、紙幣の繰り出しおよび鑑別が完了した場合、表示制御部２２は、現金およびカード抜き取り依頼画面を表示部１９に表示させる。現金（紙幣）およびカードが抜き取られた場合、表示制御部２２は、処理完了画面を表示部１９に表示させる。
【００４３】
図９〜図１１は、実施形態の処理の一例を示すフローチャートである。まず、図９に示すように、表示制御部２２は、表示部１９に取引種別選択画面を表示させる（ステップＳ１０１）。取引種別選択画面において支払キー以外のキーが押下された場合（ステップＳ１０２でＮＯ）、制御部１８は、押下されたキーに対応する取引処理を行い（ステップＳ１０３）、ステップＳ１０１に戻る。
【００４４】
取引種別選択画面において支払キーが押下された場合（ステップＳ１０２でＹＥＳ）、表示制御部２２は、カード挿入依頼画面を表示部１９に表示させる（ステップＳ１０４）。自動取引装置１は、カード挿入口にカードが挿入されるまで待機する（ステップＳ１０５でＮＯ）。カード挿入口にカードが挿入された場合（ステップＳ１０５でＹＥＳ）、判定部２４は、カードが正当であるか判定する（ステップＳ１０６）。
【００４５】
カードが正当でないと判定された場合（ステップＳ１０６でＮＯ）、自動取引装置１は、カード返却処理を行う（ステップＳ１０７）。そして、自動取引装置１は、カードが抜き取られるまで待機する（ステップＳ１０８でＮＯ）。カードが抜き取られた場合（ステップＳ１０８でＹＥＳ）、処理はステップＳ１０１に戻る。
【００４６】
カードが正当であると判定された場合（ステップＳ１０６でＹＥＳ）、表示制御部２２は、暗証番号入力画面を表示部１９に表示させる（ステップＳ１０９）。判定部２４は、４桁の暗証番号が入力されたかチェックし（ステップＳ１１０）、４桁未満の場合は待機する（ステップＳ１１０でＮＯ）。なお、暗証番号入力画面で訂正キーが押下された場合、表示制御部２２は、再入力を促すメッセージを表示する。
【００４７】
４桁の暗証番号が入力された場合（ステップＳ１１０でＹＥＳ）、表示制御部２２は、表示部１９に出金金額入力画面を表示させる（ステップＳ１１１）。自動取引装置１は、金額が入力され、確認キーが押下されるまで待機する（ステップＳ１１２でＮＯ）。なお、出金金額入力画面で訂正キーが押下された場合、表示制御部２２は、入力された金額をクリアし、再入力を促すメッセージを表示する。
【００４８】
金額が入力され、確認キーが押下された場合（ステップＳ１１２でＹＥＳ）、表示制御部２２は、図１０に示すように、金額確認画面を表示部１９に表示させる（ステップＳ１１３）。自動取引装置１は、確認キーが押下されるまで待機する（ステップＳ１１４でＮＯ）。なお、訂正キーが押下された場合、表示制御部２２は、入力された金額をクリアし、図９のステップＳ１１１に戻り出金金額入力画面を再度表示させる。
【００４９】
確認キーが押下された場合（ステップＳ１１４でＹＥＳ）、表示制御部２２は、処理中画面を表示部１９に表示させる（ステップＳ１１５）。そして、通信部２３は、支払い要求をホストに送信させて、支払い可能かを問い合わせる（ステップＳ１１６）。自動取引装置１は、ホストからの応答電文を受信するまで待機する（ステップＳ１１７でＮＯ）。ホストからの応答電文を受信した場合（ステップＳ１１７でＹＥＳ）、判定部２４は、ホストからの応答が支払い許可であるか判定する（ステップＳ１１８）。
【００５０】
ホストから支払いを許可しないことを示す応答を受信した場合（ステップＳ１１８でＮＯ）、自動取引装置１は、カードを返却する（ステップＳ１１９）。そして、自動取引装置１は、カードが抜き取られるまで待機し（ステップＳ１２０でＮＯ）、カードが抜き取られた場合（ステップＳ１２０でＹＥＳ）、図９のステップＳ１０１に戻る。
【００５１】
ホストからの応答が支払い許可である場合（ステップＳ１１８でＹＥＳ）、自動取引装置１は、紙幣繰り出しおよび鑑別処理を実行する（ステップＳ１２１）。ステップＳ１２１において、金種カセット１１から繰り出された紙幣は、鑑別部１４により鑑別され、プールカセット１２、出金リジェクト庫１６、または紙幣出金口１７に搬送される。ステップＳ１２１の処理について、詳細は後述する。
【００５２】
判定部２４は、全ての紙幣の繰り出しおよび鑑別処理が完了したか判定する（ステップＳ１２２）。例えば、出金金額分の紙幣を紙幣出金口１７に搬送した場合、判定部２４は、全ての紙幣の繰り出しおよび鑑別処理が完了したと判定する。完了していない場合（ステップＳ１２２でＮＯ）、自動取引装置１は、未完了の紙幣についてステップＳ１２１の処理を実行する。
【００５３】
全ての紙幣の繰り出しおよび鑑別が完了した場合（ステップＳ１２２でＹＥＳ）、自動取引装置１は、紙幣出金口１７のシャッターを開き、紙幣を取り出し可能な状態にすると共に、カードを返却する（ステップＳ１２３）。そして、表示制御部２２は、現金およびカード抜き取り依頼画面を表示する（ステップＳ１２４）。
【００５４】
自動取引装置１は、紙幣が抜き取られるまで待機し（ステップＳ１２５でＮＯ）、紙幣が抜き取られた場合（ステップＳ１２５でＹＥＳ）、紙幣出金口１７のシャッターを閉じる（ステップＳ１２６）。例えば、紙幣出金口１７には紙幣の残留を検出するセンサが設置されており、判定部２４は、そのセンサからの情報を受信し、紙幣が抜き取られたか判定する。
【００５５】
自動取引装置１は、カードが抜き取られるまで待機し（ステップＳ１２７でＮＯ）、カードが抜き取られた場合（ステップＳ１２７でＹＥＳ）、プールカセット１２に紙幣が存在するか判定する（ステップＳ１２８）。例えば、自動取引装置１は、ステップＳ１２１の処理において、紙幣をプールカセット１２に搬送した場合にフラグをオンに設定し、ステップＳ１２８でそのフラグを参照することによって、プールカセット１２に紙幣が存在するか判定する。
【００５６】
ステップＳ１２８でＹＥＳの場合、プールカセット１２内の紙幣を金種カセット１１に戻す紙幣戻し処理を実行する（ステップＳ１２９）。自動取引装置１は、カードが抜き取られるまで待機している間（ステップＳ１２７でＮＯ）に、ステップＳ１２９の処理を実行してもよい。ステップＳ１２９の処理について、詳細は後述する。なお、自動取引装置１は、ステップＳ１２８でＹＥＳの場合、ステップＳ１２９に自動で移行してもよいし、オペレータから所定の操作を受け付けた場合にステップＳ１２９の処理を実行してもよい。
【００５７】
そして、ステップＳ１２８でＮＯの場合、または、ステップＳ１２９の処理後、表示制御部２２は、処理完了画面を表示部１９に表示させる（ステップＳ１３０）。ステップＳ１３０の処理後、ステップＳ１０１に戻る。
【００５８】
図１２は、紙幣繰り出しおよび鑑別処理の一例を示すフローチャートである。搬送制御部２１は、支払い金額に応じた紙幣を金種カセット１１から繰り出して鑑別部１４に搬送するように繰り出し制御及び搬送制御を行う（ステップＳ２０１）。鑑別部１４は、紙幣の状態を鑑別する（ステップＳ２０２）。ステップＳ２０２において、鑑別部１４は、例えば、紙幣の状態が斜行、ニアフィード、ダブルフィード、または損券のいずれかに該当するかを鑑別し、さらに、鑑別部１４は、紙幣の種類の鑑別、真贋の鑑別等を行い、鑑別結果を制御部１８に送る。
【００５９】
判定部２４は、鑑別部１４からの鑑別結果を参照し、図４の例に示す判定基準に従い、紙幣が出金可能な状態であるか判定する（ステップＳ２０３）。そして、紙幣状態が出金可能な状態である場合（ステップＳ２０３でＹＥＳ）、搬送制御部２１は、鑑別部１４から紙幣出金口１７に紙幣が搬送されるように搬送路１５の搬送制御を行う（ステップＳ２０４）。例えば、紙幣状態が斜行、ニアフィード、ダブルフィード、損券のいずれにも該当せず、金種が鑑別され、真の紙幣と鑑別された場合に、出金が可能であると判定される。
【００６０】
紙幣状態が出金不可である場合（ステップＳ２０３でＮＯ）、判定部２４は、鑑別部１４からの鑑別結果を参照し、図４の例に示す判定基準に従い、紙幣が再利用可能であるか判定する（ステップＳ２０５）。紙幣状態が再利用可能な状態であれば（ステップＳ２０５でＹＥＳ）、搬送制御部２１は、鑑別部１４からプールカセット１２に紙幣が搬送されるように搬送路１５の搬送制御を行う（ステップＳ２０６）。例えば、紙幣状態が斜行、ニアフィード、ダブルフィードのいずれかに該当する場合、再利用が可能であると判定される。
【００６１】
紙幣状態が再利用可能な状態でなければ（ステップＳ２０５でＮＯ）、搬送制御部２１は、鑑別部１４から出金リジェクト庫１６に紙幣が搬送されるように搬送路１５の搬送制御を行う（ステップＳ２０７）。例えば、紙幣状態が損券に該当する場合、または、金種の鑑別ができなかった場合、真の紙幣であると鑑別ができなかった場合、再利用が不可であると判定される。
【００６２】
図１３は、紙幣戻し処理の一例を示すフローチャートである。搬送制御部２１は、プールカセット１２内の紙幣を鑑別部１４に搬送するように搬送制御を行う（ステップＳ３０１）。鑑別部１４は、搬送された紙幣を鑑別する（ステップＳ３０２）。
【００６３】
判定部２４は、鑑別部１４からの鑑別結果を参照し、紙幣が出金可能な状態であるか判定する（ステップＳ３０３）。そして、紙幣状態が出金可能な状態であれば（ステップＳ３０３でＹＥＳ）、搬送制御部２１は、鑑別部１４から金種カセット１１に紙幣が搬送されるように搬送制御を行う（ステップＳ３０４）。例えば、紙幣状態が斜行、ニアフィード、ダブルフィード、損券のいずれにも該当せず、紙幣の種類が鑑別され、真の紙幣と鑑別された場合に出金可能であると判定される。
【００６４】
紙幣状態が出金不可である場合（ステップ３０３でＮＯ）、搬送制御部２１は、プールカセット１２から出金リジェクト庫１６に紙幣が搬送されるように搬送制御を行う（ステップＳ３０５）。
【００６５】
判定部２４は、プールカセット１２に残留紙幣があるか判定する（ステップＳ３０６）。例えば、判定部２４は、プールカセット１２に設置されている残留紙幣を検出するセンサ（例えば、フォトセンサ）からのセンサ情報を受信し、受信した情報に基づいて紙幣の残留があるか判定する。
【００６６】
残留紙幣がある場合（ステップＳ３０６でＹＥＳ）、処理はステップＳ３０１に戻る。残留紙幣がない場合（ステップＳ３０６でＮＯ）、処理は終了する。なお、図１３には示していないが、紙幣戻し処理は、金種カセット１１に戻した紙幣の金種および枚数に基づいて、各金種カセット１１ａ，１１ｂ，および１１ｃ内の紙幣の枚数（在高）のデータを変更する処理を含んでもよい。
【００６７】
以上のように、自動取引装置１は、出金取引時に出金不可であると鑑別された紙幣のうち再利用可能であると鑑別された紙幣は、プールカセット１２に搬送される。このため、繰り出し機構を有していない出金リジェクト庫に搬送する紙幣を減らすことができる。よって、オペレータが紙幣を扱う作業を減らすことができ、現金に関する事故（紛失等）を防止し、セキュリティ性を向上させることができる。
【００６８】
次に、自動取引装置１の制御部１８のハードウェア構成の一例を説明する。図１４は、自動取引装置１の制御部１８のハードウェア構成の一例を示す図である。図１４の例に示すように、制御部１８において、バス１００に、プロセッサ１１１とメモリ１１２と補助記憶装置１１３と通信インタフェース１１４とが接続される。
【００６９】
プロセッサ１１１は、メモリ１１２に展開されたプログラムを実行する。実行されるプログラムには、実施形態における処理を行うプログラムが適用される。
【００７０】
メモリ１１２は、例えば、Random Access Memory(ＲＡＭ)である。補助記憶装置１１３は、種々の情報を記憶する記憶装置であり、例えばハードディスクドライブや半導体メモリ等が適用されてもよい。補助記憶装置１１３に実施形態の処理を行うプログラムが記憶されていてもよい。
【００７１】
通信インタフェース１１４は、Local Area Network（ＬＡＮ）、Wide Area Network（ＷＡＮ）等の通信ネットワークに接続され、通信に伴うデータ変換等を行う。図２に示す通信部２３は、通信インタフェース１１４により実現される。
【００７２】
図２に示す搬送制御部２１、表示制御部２２、および判定部２４は、メモリ１１２に展開されたプログラムをプロセッサ１１１が実行することにより実現されてもよい。
【００７３】
メモリ１１２、および補助記憶装置１１３は、コンピュータが読み取り可能であって非一時的な有形の記憶媒体であり、信号搬送波のような一時的な媒体ではない。
【００７４】
＜その他＞
本実施形態は、以上に述べた実施の形態に限定されるものではなく、本実施形態の要旨を逸脱しない範囲内で様々な変更、追加、省略が適用可能である。
【符号の説明】
【００７５】
１    自動取引装置
１１ａ〜１１ｃ    金種カセット
１２    プールカセット
１３    混合カセット
１４    鑑別部
１５    搬送路
１６    出金リジェクト庫
１７    紙幣出金口
１８    制御部
１９    表示部
２１    搬送制御部
２２    表示制御部
２３    通信部
２４    判定部
２５    記憶部
１００    バス
１１１    プロセッサ
１１２    メモリ
１１３    補助記憶装置
１１４    通信インタフェース
【図１】
2020042510.tif 000003
【図２】
2020042510.tif 000004
【図３】
2020042510.tif 000005
【図４】
2020042510.tif 000006
【図５】
2020042510.tif 000007
【図６】
2020042510.tif 000008
【図７】
2020042510.tif 000009
【図８】
2020042510.tif 000010
【図９】
2020042510.tif 000011
【図１０】
2020042510.tif 000012
【図１１】
2020042510.tif 000013
【図１２】
2020042510.tif 000014
【図１３】
2020042510.tif 000015
【図１４】
2020042510.tif 000016